(57)【要約】【課題】光学シートを係止する係止部から光学シートが外れることを防止し、薄型化を実現することができる表示装置及びテレビジョン受信装置を提供する。【解決手段】表示パネルを配置する前において、支持部４の貫通孔４ｂから突出した係止部４０の突出部分の突出寸法は、表示パネルを配置した後における貫通孔４ｂ及び表示パネル間の寸法よりも長い。光学シート５を導光板３の前面に配置した場合、フラップ５０の挿入孔５１から十分な長さの突出部分が突出しているので、組立作業の途中で外力（例えば風）の作用によって光学シート５が捲れることがあっても、光学シート５は係止部４０から外れない。表示パネルを配置する場合には、表示パネルからの押圧によって、突出した部分は導光板３に垂直な方向に短縮され、テレビジョン受信装置の薄型化を図ることができる。【選択図】図５
2013130722.tif 000002
【特許請求の範囲】
【請求項１】
映像を表示する表示パネルと、該表示パネルに対向配置され、入射光を前記表示パネルに出射する導光板と、該導光板を支持するシャーシと、前記表示パネル及び導光板の間に配置され、前記導光板から出射した光が透過する光学シートと、該光学シートの縁部分を前記導光板に係止する係止部とを備える表示装置において、
前記シャーシに設けてあり、前記係止部を支持する支持部を備え、
前記係止部は前記支持部よりも前記光学シート側に突出しており、
前記光学シートの縁部分に前記係止部が挿入される孔又は切欠を形成してあり、
前記係止部は、前記導光板に垂直な方向に短縮するように変形した部分を有すること
を特徴とする表示装置。
【請求項２】
前記係止部における突出した部分の先端は前記光学シート及び表示パネルの間に位置するようにしてあること
を特徴とする請求項１に記載の表示装置。
【請求項３】
前記変形した部分は弾性部であること
を特徴とする請求項１又は２に記載の表示装置。
【請求項４】
前記弾性部は前記光学シートと反対側の部分であること
を特徴とする請求項３に記載の表示装置。
【請求項５】
前記弾性部は前記光学シートと反対側に延出した複数の延出部を有し、
前記複数の延出部は各別の方向に向けて湾曲していること
を特徴とする請求項４に記載の表示装置。
【請求項６】
前記支持部は、前記係止部が突出する貫通孔を前記光学シート側に形成してあり、前記係止部を収容する収容部を備え、
前記係止部に、前記導光板に垂直な方向に交差する方向に突出しており、前記収容部内にて掛止する掛止部を設けてあり、
前記収容部内に前記掛止部が掛止される被掛止部を備えること
を特徴とする請求項１から５のいずれか一つに記載の表示装置。
【請求項７】
前記支持部は、前記係止部が突出する貫通孔を前記光学シート側に形成してあり、前記係止部を収容する収容部を備え、
前記弾性部は、前記収容部に連結しており、前記光学シートと反対側に位置する弾性部材であること
を特徴とする請求項３に記載の表示装置。
【請求項８】
前記支持部は、前記係止部が突出する貫通孔を前記光学シート側に形成してあり、前記係止部を収容する収容部を備え、
前記弾性部は、前記導光板に垂直な方向に交差する方向に膨出した部分であり、
前記収容部内に、前記弾性部の膨出方向寸法よりも狭い狭窄部分を形成してあること
を特徴とする請求項３に記載の表示装置。
【請求項９】
前記弾性部は、前記支持部よりも前記光学シート側に突出した部分であり、
前記部分の突出端部は前記導光板に垂直な方向に交差する方向に湾曲していること
を特徴とする請求項３に記載の表示装置。
【請求項１０】
前記部分の突出端部は各別の方向に向けて分岐していること
を特徴とする請求項９に記載の表示装置。
【請求項１１】
前記係止部を複数備え、
各係止部の各突出端部は各別の方向に向けて湾曲していること
を特徴とする請求項９に記載の表示装置。
【請求項１２】
前記弾性部は前記係止部の中間部分であること
を特徴とする請求項３に記載の表示装置。
【請求項１３】
前記係止部の突出端部に、前記光学シートに形成した前記孔の縁部分に掛止する掛止爪が形成してあること
を特徴とする請求項１から１２のいずれか一つに記載の表示装置。
【請求項１４】
前記変形した部分は屈曲していること
を特徴とする請求項１又は２のいずれか一つに記載の表示装置。
【請求項１５】
前記支持部に、屈曲した前記係止部を引掛ける引掛け部が設けてあること
を特徴とする請求項１４に記載の表示装置。
【請求項１６】
請求項１から１５のいずれか一つに記載の表示装置と、
テレビジョン放送を受信する受信部と
を備え、
前記表示装置は前記受信部が受信したテレビジョン放送の映像を表示するようにしてあること
を特徴とするテレビジョン受信装置。
【発明の詳細な説明】
【技術分野】
【０００１】
本発明は、映像を表示する表示部に対向配置された導光板と、該導光板及び表示部の間に配置された光学シートと備え、光学シートの縁部に設けた孔又は切欠に係止部を挿入して光学シートを係止する表示装置及びテレビジョン受信装置に関する。
【背景技術】
【０００２】
表示画面の大きさに比べて室内の占有面積が小さい薄型の表示装置（例えば液晶表示装置）は、限られた室内空間を有効に利用することができることから、一般に広く普及している。液晶表示装置は、光源から発せられた光を導光板を介して液晶パネルへ導き液晶パネルに映像を表示する。導光板の前面には、映像品位を向上させるべく、集光及び光の拡散を行う複数の光学シートを設けてある。
【０００３】
特許文献１には、光源の光を前方に位置する表示パネルへ導く導光板と、該導光板の前面に設けた光学シートと、該光学シート及び導光板を収納して支持するフレームとを備える液晶表示装置が開示してある。フレームは、前フレームと後フレーム（シャーシ）とを有する。前フレームは導光板及び光学シートの縁部分に対向している。光学シートの縁部分には孔又は切欠が設けてあり、前フレーム及び後フレームの間に設けた係止片を前記孔又は切欠に挿入して、光学シートを係止している。係止片は孔又は切欠に遊嵌しており、温度変化に伴う光学シートの伸縮が吸収され、光学シートには皺又はたわみが発生し難い。そのため光学的な変動（例えば輝度の低下）を防止することができる。
【先行技術文献】
【特許文献】
【０００４】
【特許文献１】特開平１１−３３７９４２号公報
【発明の概要】
【発明が解決しようとする課題】
【０００５】
液晶表示装置の前後方向寸法は表示画面の大きさに応じて決定されるため、画面の大型化に伴って前後方向の厚みも大きくなる。近年大型の液晶表示装置が普及してきており、ユーザからは更なる薄型化を求められている。特許文献１に記載の液晶表示装置は、前フレーム及び後フレームの間に係止片を設けており、薄型化のためには、係止片を短縮することが望ましい。
【０００６】
しかし係止片が短縮された場合、液晶表示装置の組立時及び保守点検による分解時に、光学シートは係止片から外れやすくなる。組立時又は分解時に、外力（例えば風）の作用によって光学シートは捲れ上がり、係止片から外れる。また光学シートが平面内で変位した場合、光学シートは係止片に容易に乗り上がる。乗り上がった状態で組み立てた場合、光学シートは係止片と前フレームとの間に挟まり、光学シートに皺又は撓みが発生する。その結果歩留まりの低下を招来し、修理が必要となる。
【０００７】
本発明は斯かる事情に鑑みてなされたものであり、光学シートを導光板に係止する係止部から光学シートが外れることなく組立及び分解が行え、薄型化を実現することができる表示装置及びテレビジョン受信装置を提供することを目的とする。
【課題を解決するための手段】
【０００８】
本発明に係る表示装置は、映像を表示する表示パネルと、該表示パネルに対向配置され、入射光を前記表示パネルに出射する導光板と、該導光板を支持するシャーシと、前記表示パネル及び導光板の間に配置され、前記導光板から出射した光が透過する光学シートと、該光学シートの縁部分を前記導光板に係止する係止部とを備える表示装置において、前記シャーシに設けてあり、前記係止部を支持する支持部を備え、前記係止部は前記支持部よりも前記光学シート側に突出しており、前記光学シートの縁部分に前記係止部が挿入される孔又は切欠を形成してあり、前記係止部は、前記導光板に垂直な方向に短縮するように変形した部分を有することを特徴とする。
【０００９】
本発明においては、光学シートを係止する係止部において、係止部を支持する支持部から光学シート側に突出した部分を、導光板の前面に光学シートを設置する場合に、光学シートの孔又は切欠に確実に挿入される長さに維持する。一方例えば表示パネルを導光板に対向配置する場合に、係止部の突出した部分を短縮させて表示装置の薄型化を図る。
【００１０】
本発明に係る表示装置は、前記係止部における突出した部分の先端は前記光学シート及び表示パネルの間に位置するようにしてあることを特徴とする。
【００１１】
本発明においては、係止部の突出した部分が短縮した場合に、該突出部分の先端は表示パネルと光学シートとの間に位置するので、短縮前の係止部の寸法に拘わらず、表示装置の前後寸法を決定し、薄型化を図ることができる。表示装置の前後寸法の決定後、係止部の短縮量を決定すればよい。
【００１２】
本発明に係る表示装置は、前記変形した部分は弾性部であることを特徴とする。
【００１３】
本発明においては、弾性部が弾性変形し、係止部が短縮する。
【００１４】
本発明に係る表示装置は、前記弾性部は前記光学シートと反対側の部分であることを特徴とする。
【００１５】
本発明においては、係止部が弾性変形し、係止部における光学シート側に突出した部分の寸法を短縮させることができる。
【００１６】
本発明に係る表示装置は、前記弾性部は前記光学シートと反対側に延出した複数の延出部を有し、前記複数の延出部は各別の方向に向けて湾曲していることを特徴とする。
【００１７】
本発明においては、光学シート側から係止部に力が作用した場合、複数の延出部は、力の作用方向に交差する各別の方向に向けて互いに離反するように湾曲し、係止部は力の作用方向に短縮する。
【００１８】
本発明に係る表示装置は、前記支持部は、前記係止部が突出する貫通孔を前記光学シート側に形成してあり、前記係止部を収容する収容部を備え、前記係止部に、前記導光板に垂直な方向に交差する方向に突出しており、前記収容部内にて掛止する掛止部を設けてあり、前記収容部内に前記掛止部が掛止される被掛止部を備えることを特徴とする。
【００１９】
本発明においては、光学シート側から係止部に力が作用した場合、掛止部は被掛止部に掛止し、係止部は短縮した状態を維持する。
【００２０】
本発明に係る表示装置は、前記支持部は、前記係止部が突出する貫通孔を前記光学シート側に形成してあり、前記係止部を収容する収容部を備え、前記弾性部は、前記収容部に連結しており、前記光学シートと反対側に位置する弾性部材であることを特徴とする。
【００２１】
本発明においては、光学シート側から係止部に力が作用した場合、収容部に連結した弾性部材（例えばばね）が短縮して、係止部は力の作用方向に短縮する。
【００２２】
本発明に係る表示装置は、前記支持部は、前記係止部が突出する貫通孔を前記光学シート側に形成してあり、前記係止部を収容する収容部を備え、前記弾性部は、前記導光板に垂直な方向に交差する方向に膨出した部分であり、前記収容部内に、前記弾性部の膨出方向寸法よりも狭い狭窄部分を形成してあることを特徴とする。
【００２３】
本発明においては、光学シート側から係止部に力が作用した場合、膨出した部分は狭窄部分にて圧縮されて狭窄部分を通過する。そのため係止部はシャーシ側に移動し、係止部における光学シート側に突出した部分の寸法は短縮される。また係止部は狭窄部分の通過後膨らむので、係止部の移動が規制され、係止部は短縮した状態を維持する。
【００２４】
本発明に係る表示装置は、前記弾性部は、前記支持部よりも前記光学シート側に突出した部分であり、前記部分の突出端部は前記導光板に垂直な方向に交差する方向に湾曲していることを特徴とする。
【００２５】
本発明においては、光学シート側から係止部に力が作用した場合、係止部の突出した部分は弾性変形して湾曲し、係止部の突出した部分は力の作用方向に短縮する。
【００２６】
本発明に係る表示装置は、前記部分の突出端部は各別の方向に向けて分岐していることを特徴とする。
【００２７】
本発明においては、光学シート側から係止部に力が作用した場合、分岐した前記突出端部の各枝は弾性変形して湾曲し、係止部の突出した部分は力の作用方向に短縮する。
【００２８】
本発明に係る表示装置は、前記係止部を複数備え、各係止部の各突出端部は各別の方向に向けて湾曲していることを特徴とする。
【００２９】
本発明においては、光学シート側から係止部に力が作用した場合、複数の係止部の各突出端部は、弾性変形して湾曲し、係止部の突出した部分は力の作用方向に短縮する。
【００３０】
本発明に係る表示装置は、前記弾性部は前記係止部の中間部分であることを特徴とする。
【００３１】
本発明においては、光学シート側から係止部に力が作用した場合、弾性部材が短縮し、係止部の突出した部分は力の作用方向に短縮する。
【００３２】
本発明に係る表示装置は、前記係止部の突出端部に、前記光学シートに形成した前記孔の縁部分に掛止する掛止爪が形成してあることを特徴とする。
【００３３】
本発明においては、掛止爪が光学シートに形成した孔の縁部分に掛止し、光学シートの位置ずれを確実に防止する。
【００３４】
本発明に係る表示装置は、前記変形した部分は屈曲していることを特徴とする。
【００３５】
本発明においては、光学シート側から係止部に力が作用した場合、係止部の突出した部分は屈曲し、係止部は力の作用方向に短縮する。
【００３６】
本発明に係る表示装置は、前記支持部に、屈曲した前記係止部を引掛ける引掛け部が設けてあることを特徴とする。
【００３７】
本発明においては、係止部は屈曲した後に引掛け部に引っ掛かり、光学シートを確実に係止し、光学シートの位置ずれを防止する。
【００３８】
本発明に係るテレビジョン受信装置は、前述したいずれか一つに記載の表示装置と、テレビジョン放送を受信する受信部とを備え、前記表示装置は前記受信部が受信したテレビジョン放送の映像を表示するようにしてあることを特徴とする。
【００３９】
本発明においては、前述した表示装置を備えるので、前述した表示装置と同様な効果を奏する。
【発明の効果】
【００４０】
本発明にあっては、光学シートを係止する係止部において、係止部を支持する支持部から光学シート側に突出した突出部分を、例えば導光板の前面に光学シートを設置する場合に、光学シートの孔又は切欠に確実に挿入される長さに維持することができる。一方、例えば表示パネルを導光板に対向配置する場合には、係止部における光学シート側に突出した部分の寸法を短縮させて表示装置の薄型化を図ることができる。
【図面の簡単な説明】
【００４１】
【図１】実施の形態１に係るテレビジョン受信装置を略示する斜視図である。
【図２】表示装置の内部構成を示す分解斜視図である。
【図３】光学シートを導光板の前面に設けた状態における表示装置の内部構成を示す分解斜視図である。
【図４】光学シートを示す正面図である。
【図５】表示パネルを導光板の前側に配置する前の状態における表示装置の要部を示す断面図である。
【図６】表示パネルを導光板の前側に配置した後の状態における表示装置の要部を示す断面図である。
【図７】表示パネルを導光板の前側に配置する前の状態における実施の形態２に係るテレビジョン受信装置の表示装置の要部を示す断面図である。
【図８】表示パネルを導光板の前側に配置した後の状態における表示装置の要部を示す断面図である。
【図９】表示パネルを導光板の前側に配置する前の状態における実施の形態３に係るテレビジョン受信装置の表示装置の要部を示す断面図である。
【図１０】表示パネルを導光板の前側に配置した後の状態における表示装置の要部を示す断面図である。
【図１１】表示パネルを導光板の前側に配置する前の状態における実施の形態４に係るテレビジョン受信装置の表示装置の要部を示す断面図である。
【図１２】表示パネルを導光板の前側に配置した後の状態における表示装置の要部を示す断面図である。
【図１３】表示パネルを導光板の前側に配置する前の状態において係止部が屈曲する前の実施の形態５に係るテレビジョン受信装置の表示装置の要部を示す断面図である。
【図１４】表示パネルを導光板の前側に配置する前の状態において係止部が屈曲した後の表示装置の要部を示す断面図である。
【図１５】表示パネルを導光板の前側に配置した後の状態における表示装置の要部を示す断面図である。
【図１６】表示パネルを導光板の前側に配置する前の状態において係止部が屈曲する前の実施の形態６に係るテレビジョン受信装置の表示装置の要部を示す断面図である。
【図１７】表示パネルを導光板の前側に配置する前の状態において係止部が屈曲した後の表示装置の要部を示す断面図である。
【図１８】表示パネルを導光板の前側に配置した後の状態における表示装置の要部を示す断面図である。
【図１９】表示パネルを導光板の前側に配置する前の状態における実施の形態７に係るテレビジョン受信装置の表示装置の要部を示す断面図である。
【図２０】表示パネルを導光板の前側に配置した後の状態における表示装置の要部を示す断面図である。
【図２１】表示パネルを導光板の前側に配置する前の状態における実施の形態８に係るテレビジョン受信装置の表示装置の要部を示す断面図である。
【図２２】表示パネルを導光板の前側に配置した後の状態における表示装置の要部を示す断面図である。
【図２３】表示パネルを導光板の前側に配置する前の状態における実施の形態９に係るテレビジョン受信装置の表示装置の要部を示す断面図である。
【図２４】表示パネルを導光板の前側に配置した後の状態における表示装置の要部を示す断面図である。
【図２５】表示パネルを導光板の前側に配置する前の状態における実施の形態１０に係るテレビジョン受信装置の表示装置の要部を示す断面図である。
【図２６】表示パネルを導光板の前側に配置した後の状態における表示装置の要部を示す断面図である。
【図２７】実施の形態１１に係るテレビジョン受信装置の光学シートを示す正面図である。
【図２８】表示パネルを導光板の前側に配置した後の状態における表示装置の要部を示す断面図である。
【図２９】実施の形態１２に係るテレビジョン受信装置の光学シートを示す正面図である。
【図３０】光学シートを導光板の前側に配置する前の状態における表示装置の要部を示す断面図である。
【図３１】光学シートを導光板の前側に配置する途中の状態における表示装置の要部を示す断面図である。
【図３２】光学シートを導光板の前側に配置した後の状態における表示装置の要部を示す断面図である。
【図３３】表示パネルを導光板の前側に配置した後の状態における表示装置の要部を示す断面図である。
【発明を実施するための形態】
【００４２】
（実施の形態１）
以下本発明を実施の形態１に係るテレビジョン受信装置を示す図面に基づいて詳述する。図１はテレビジョン受信装置を略示する斜視図である。
【００４３】
図において１はテレビジョン受信装置であり、該テレビジョン受信装置１は、映像を表示する表示装置１００と、アンテナ（不図示）から放送波を受信するチューナ２００（受信部）と、符号化された放送波を復号するデコーダ３００とを備える。テレビジョン受信装置１は、チューナ２００にて受信した放送波をデコーダ３００で復号し、復号した情報に基づいて表示装置１００に映像を表示する。テレビジョン受信装置１の下部に、テレビジョン受信装置１を支持するスタンド４００が設けてある。
【００４４】
表示装置１００は液晶を有する矩形の表示パネル１０を備えており、該表示パネル１０は液晶への印加電圧を制御して光の透過率を調整するように構成されている。表示パネル１０は、前後に配置された前キャビネット２０及び後キャビネット３０に、表示面を前側にして収容されている。前キャビネット２０は矩形の枠状をなし、その中央部に矩形の開口２０ａを有する。前キャビネット２０は、例えばアルミニウム部材からなる。後キャビネット３０は、前側が開放された矩形のトレイ状をなし、例えば電気亜鉛めっき鋼板からなる。なお前キャビネット２０及び後キャビネット３０を樹脂部材によって構成してもよい。前記チューナ２００及びデコーダ３００は前キャビネット２０及び後キャビネット３０に収容されている。なおチューナ２００及びデコーダ３００を表示装置１００の外部に設置し、表示装置１００に接続してもよい。
【００４５】
図２及び図３は表示装置１００の内部構成を示す分解斜視図であり、図３は、後述する光学シートを導光板３の前面に設けた状態を示す。図４は、光学シートを示す正面図、図５は、表示パネル１０を導光板３の前側に配置する前の状態における表示装置１００の要部を示す断面図、図６は、表示パネル１０を導光板の前側に配置した後の状態における表示装置１００の要部を示す断面図である。
【００４６】
図２に示すように、表示装置１００は表示パネル１０と、バックライトユニットとを備える。バックライトユニットは光源（不図示）と、該光源からの入射光を表示パネル１０に出射する矩形の導光板３と、バックライトシャーシ２とを備える。バックライトシャーシ２は矩形のトレイ状をなす。導光板３は保持部材を介してバックライトシャーシ２に保持されている。光源は、例えばＬＥＤ(Light Emitting Diode)であり、導光板３の縁部分に対向させてバックライトシャーシ２に固定してある。
【００４７】
図２に示すように、バックライトシャーシ２の四隅に四つの支持部４、４，４，４がそれぞれ設けてある。該支持部４は、光源に対向しない導光板３の縁部分の隣に設けてある。図５に示すように、支持部４は、表示パネル１０側に向けて突出した部分を有し、この突出した部分は収容室４ａ（収容部）を有する。係止部４０の表示パネル１０側には、収容室４ａに連なり、表示パネル１０に垂直な方向に貫通した貫通孔４ｂが設けてある。
【００４８】
収容室４ａ内には係止部４０が収容してある。係止部４０は、棒状部分４１ａと、該棒状部分４１ａの一端部から延出した弾性を有する複数（例えば二つ）の延出部４１ｂ、４１ｂとを有する。図２に示すように、棒状部分４１ａの他端部は貫通孔４ｂから突出している。各延出部４１ｂ、４１ｂは、導光板３に平行な各別の方向に向けて互いに離反するように湾曲しており、バックライトシャーシ２に当接して棒状部分４１ａを支えている。
【００４９】
導光板３の前面には、導光板３から出射された光を均一に拡散し、拡散された光を表示パネル１０へ向けて集光する矩形の複数の光学シート５、５，５が取り付けられる。図４に示すように、光学シート５は、その縁部分から外向きに延出した四つのフラップ５０、５０，５０，５０を備えている。各フラップ５０は各係止部４０に対応するように、光学シート５の四隅に形成してある。各フラップ５０には、係止部４０が挿入される挿入孔５１が形成してある。図３及び図５に示すように、光学シート５は、貫通孔４ｂから突出した棒状部分４１ａを挿入孔５１に挿入し、導光板３の前面に取り付けてある。
【００５０】
図６に示すように、表示装置１００は断面視Ｌ状のパネルシャーシ６を備える。パネルシャーシ６は、フラップ５０と表示パネル１０の縁部分との間に位置し、表示パネル１０に平行な部分と、該部分に直角であり、バックライトシャーシ２の縁部分に対向する部分とを有する。パネルシャーシ６は、表示パネル１０に平行な部分において、係止部４０に対向する位置に穴６ａを有する。係止部４０の棒状部分４１ａは該穴６ａに挿通している。穴６ａの縁部分には緩衝部材７を設けてある。表示パネル１０はパネルシャーシ６上に配置される。表示パネル１０をパネルシャーシ６上に配置した場合、表示パネル１０は棒状部分４１ａを押圧し、延出部４１ｂが撓んで外向きに広がる。棒状部分４１ａは押圧力が作用した方向に移動し、棒状部分４１ａにおける貫通孔４ｂから突出した部分の突出寸法は短くなる。表示パネル１０は緩衝部材７を介してパネルシャーシ６に支持される。表示パネル１０の周縁部に矩形枠状のフレーム８が配置してあり、表示パネル１０とフレーム８との間に緩衝部材７を設けてある。表示パネル１０は、緩衝部材７を介してパネルシャーシ６及びフレーム８に挟持されている。表示パネル１０と導光板３とは前後に対向している。
【００５１】
次にテレビジョン受信装置１の組立手順について説明する。まず前側が上向きになるように、バックライトシャーシ２を平置きにし、棒状部分４１ａを貫通孔４ｂから突出させた状態で支持部４をバックライトシャーシ２の四隅に配置する。次に導光板３をバックライトシャーシ２内に収容し、フラップ５０の挿入孔５１に棒状部分４１ａが挿入されるように、導光板３の前面に光学シート５を配置する（図５参照）。そして棒状部分４１ａが穴６ａに挿入されるようにパネルシャーシ６を配置し、穴６ａの縁部分に緩衝部材７を設けて、表示パネル１０をパネルシャーシ６上に設ける。このとき表示パネル１０は棒状部分４１ａを押圧し、延出部４１ｂが撓んで外向きに広がり、棒状部分４１ａにおける貫通孔４ｂから突出した部分の突出寸法は短くなる。次に表示パネル１０前面の縁部分に緩衝部材７を設け、フレーム８を取り付けて、表示パネル１０を挟持する。そして前キャビネット２０及び後キャビネット３０によってこれらの部材を前後から覆う。
【００５２】
図５及び図６に示すように、表示パネル１０を配置する前において、貫通孔４ｂから突出した棒状部分４１ａの突出寸法は、表示パネル１０を設けた後における貫通孔４ｂ及び表示パネル１０間の寸法よりも長く、組立作業者は棒状部分４１ａの突出した部分を確実に視認することができる。光学シート５を導光板３の前面に取り付けた場合、フラップ５０の挿入孔５１から十分な長さの棒状部分４１ａが突出しているので、組立作業の途中で外力（例えば風）が作用して光学シート５が捲れることがあっても、光学シート５は係止部４０から外れない。また光学シート５が導光板３に平行な平面内で変位しても、挿入孔５１から外れない。また修理・保守点検のためにテレビジョン受信装置１を分解した場合も同様に、外力の作用又は光学シート５の変位によって、光学シート５は挿入孔５１から外れない。
【００５３】
表示パネル１０を導光板３の前側に設ける前は、フラップ５０の挿入孔５１に挿入するには十分な長さで棒状部分４１ａの突出端部の位置は維持される。一方表示パネル１０を設けた場合には、表示パネル１０からの押圧によって、棒状部分４１ａは導光板３に垂直な方向に移動し、表示パネル１０及び支持部４間に収まるので、テレビジョン受信装置１の全体の厚さを抑制し、薄型化を図ることができる。
【００５４】
なお表示パネル１０の損傷を防ぐために棒状部分４１ａの突出端に緩衝部材を設けてもよい。前キャビネット２０及び後キャビネット３０は必須の構成ではなく、フレーム８及びバックライトシャーシ２に表面処理等を施し、前キャビネット及び後キャビネットとして使用してもよい。
【００５５】
（実施の形態２）
以下本発明を実施の形態２に係るテレビジョン受信装置１を示す図面に基づいて詳述する。図７は、表示パネル１０を導光板３の前側に配置する前の状態における表示装置１００の要部を示す断面図、図８は、表示パネル１０を導光板３の前側に配置した後の状態における表示装置１００の要部を示す断面図である。
【００５６】
導光板３に平行な方向に突出しており、前記収容室４ａ内にて掛止する掛止部４２を棒状部分４１ａに設けてある。掛止部４２は弾性を有し、掛止部４２の突出端部における延出部４１ｂ側部分は、突出端部側が棒状部分４１ａ側よりも縮幅するように傾斜している。掛止部４２に対向する収容室４ａの側面に、導光板３に垂直な方向に交差する方向に突出しており、前記掛止部４２が係止される被掛止部４ｇが設けてある。被掛止部４ｇの突出端部における表示パネル１０側部分は、突出端部側が収容室４ａの前記側面側よりも縮幅するように傾斜している。図７に示すように、表示パネル１０をパネルシャーシ６上に設ける前において、被掛止部４ｇは掛止部４２よりもバックライトシャーシ２側に位置する。図８に示すように、表示パネル１０をパネルシャーシ６上に設けた状態において、掛止部４２は被掛止部４ｇよりもバックライトシャーシ２側に位置し、被掛止部４ｇに掛止されている。
【００５７】
次にテレビジョン受信装置１の組立手順について説明する。まず前側が上向きになるように、バックライトシャーシ２を平置きにし、棒状部分４１ａを貫通孔４ｂから突出させた状態で且つ被掛止部４ｇが掛止部４２よりもバックライトシャーシ２側に位置するように支持部４をバックライトシャーシ２の四隅に配置する（図７参照）。次に導光板３をバックライトシャーシ２内に収容し、フラップ５０の挿入孔５１に棒状部分４１ａが挿入されるように、導光板３の前面に光学シート５を配置する。そして棒状部分４１ａを穴６ａに挿入してパネルシャーシ６を光学シート５上に配置し、穴６ａの縁部分に緩衝部材７を設けて、表示パネル１０をパネルシャーシ６上に設ける。このとき表示パネル１０は棒状部分４１ａを押圧し、延出部４１ｂが撓んで外向きに広がり、掛止部４２は被掛止部４ｇに当接する。掛止部４２は弾性変形し、掛止部４２及び被掛止部４ｇそれぞれの傾斜した部分が接触して滑り、掛止部４２は被掛止部４ｇを乗り越え、棒状部分４１ａにおける貫通孔４ｂから突出した部分の突出寸法は短くなる。次に表示パネル１０前面の縁部分に緩衝部材７を設けてフレーム８を取り付けて、表示パネル１０を挟持する。そして前キャビネット２０及び後キャビネット３０によってこれらの部材を前後から覆う。
【００５８】
押圧された延出部４１ｂには表示パネル１０側に向かう弾性復元力が発生するが、収容室４ａ内にて掛止部４２は被掛止部４ｇに掛止され、係止部４０は短縮した状態を維持することができる。また係止部４０による表示パネル１０への押圧を防止することができ、表示パネル１０に物理的な影響（例えば歪み）を与えることを回避することができる。
【００５９】
実施の形態２に係る構成の内、実施の形態１と同様な構成については同じ符号を付し、その詳細な説明を省略する。
【００６０】
（実施の形態３）
以下本発明を実施の形態３に係るテレビジョン受信装置１を示す図面に基づいて詳述する。図９は、表示パネル１０を導光板３の前側に配置する前の状態における表示装置１００の要部を示す断面図、図１０は、表示パネル１０を導光板３の前側に配置した後の状態における表示装置１００の要部を示す断面図である。
【００６１】
図９に示すように、前記支持部４の内部に収容部４ｃを設けてあり、該収容部４ｃは前記係止部４０を収容する収容室４ｄを備える。支持部４の光学シート５側には、収容室４ｄに連なる貫通孔４ｂが形成してある。係止部４０は、棒状部分４１ａと、該棒状部分４１ａの一端部及び収容室４ｄを連結するばね４３（弾性部材）とを備える。棒状部分４１ａの一端部は貫通孔４ｂの直径よりも幅広に形成してある。棒状部分４１ａの他端部は貫通孔４ｂから突出している。ばね４３は導光板３に垂直な方向に弾性変形し、短縮している。ばね４３の弾性力によって、係止部４０は貫通孔４ｂ側（光学シート５側）に付勢されている。なおばね４３に代えてゴム等その他の弾性部材を使用してもよい。
【００６２】
なおテレビジョン受信装置１の組立は、実施の形態１又は２と同様な手順によって行われ、導光板３、光学シート５、パネルシャーシ６、緩衝部材７、表示パネル１０、フレーム８、前キャビネット２０及び後キャビネット３０が順に設けられる。
【００６３】
図９及び図１０に示すように、表示パネル１０を配置する前において、ばね４３の弾性力によって係止部４０は光学シート５側に付勢されており、貫通孔４ｂから突出した棒状部分４１ａの突出寸法は、表示パネル１０を配置した後における支持部４及び表示パネル１０間の寸法よりも長く、組立作業者は棒状部分４１ａを確実に視認することができる。光学シート５を導光板３の前面に取り付けた場合、フラップ５０の挿入孔５１から十分な長さの棒状部分４１ａが突出しているので、組立作業の途中で外力（例えば風）の作用によって光学シート５が捲れることがあっても、光学シート５は係止部４０から外れない。また光学シート５が導光板３に平行な平面内で変位しても、挿入孔５１から外れない。また表示パネル１０からの押圧によって、棒状部分４１ａはバックライトシャーシ２側に移動し、表示パネル１０及び支持部４間に収まるので、テレビジョン受信装置１の全体の厚さを抑制し、薄型化を図ることができる。
【００６４】
実施の形態３に係る構成の内、実施の形態１又は２と同様な構成については同じ符号を付し、その詳細な説明を省略する。
【００６５】
（実施の形態４）
以下本発明を実施の形態４に係るテレビジョン受信装置１を示す図面に基づいて詳述する。図１１は、表示パネル１０を導光板３の前側に配置する前の状態における表示装置１００の要部を示す断面図、図１２は、表示パネル１０を導光板３の前側に配置した後の状態における表示装置１００の要部を示す断面図である。
【００６６】
係止部４０は収容室４ｄ内に収容され、貫通孔４ｂからその一部が突出している。係止部４０における貫通孔４ｂと反対側の部分は、導光板３に平行な方向に膨出した弾性部４４を有する。弾性部４４の中央部には貫通した孔４４ａが設けてある。該弾性部４４における膨出した方向の寸法は貫通孔４ｂの直径よりも大きい。収容室４ｄ内には、導光板３に平行な方向に沿って内側に突出した狭窄部分４ｅが形成してある。狭窄部分４ｅにおいて、収容室４ｄ内の導光板３に平行な方向の寸法は、弾性部４４における膨出した方向の寸法よりも小さい。図１２に示すように、テレビジョン受信装置１における弾性部４４は、狭窄部分４ｅよりもバックライトシャーシ２側に位置し、狭窄部分４ｅによって弾性部４４の表示パネル１０側への移動が規制されている。
【００６７】
次にテレビジョン受信装置１の組立手順について説明する。まず前側が上向きになるように、バックライトシャーシ２を平置きにし、係止部４０を貫通孔４ｂから突出させた状態で支持部４をバックライトシャーシ２の四隅に配置する。このとき図１１に示すように、弾性部４４は、狭窄部分４ｅよりも光学シート５側に位置する。次に導光板３をバックライトシャーシ２内に収容し、フラップ５０の挿入孔５１に係止部４０の突出部分を挿入し、導光板３の前面に光学シート５を取り付ける。そして図１２に示すように、係止部４０の突出部分を穴６ａに挿入してパネルシャーシ６を光学シート５上に配置し、穴６ａの縁部分に緩衝部材７を設けて、表示パネル１０をパネルシャーシ６上に設ける。このとき表示パネル１０は係止部４０の突出部分を押圧し、弾性部４４が狭窄部分４ｅに挟まれて内側に収縮した後、狭窄部分４ｅを通過して膨張し、狭窄部分４ｅよりもバックライトシャーシ２側に位置する。その結果、係止部４０の突出部分の突出寸法は短縮する。次に表示パネル１０前面の縁部分に緩衝部材７を設けてフレーム８を配置し、フレーム８及びパネルシャーシ６によって表示パネル１０を挟持する。そして前キャビネット２０及び後キャビネット３０によってこれらの部材を前後から覆う。
【００６８】
図１１及び図１２に示すように、表示パネル１０を配置する前において、弾性部４４は狭窄部分４ｅよりも光学シート５側に位置し、貫通孔４ｂから突出した係止部４０の突出部分の突出寸法は、表示パネル１０を配置した後における支持部４及び表示パネル１０間の寸法よりも長く、組立作業者は突出部分を確実に視認することができる。光学シート５を導光板３の前面に設けた場合、フラップ５０の挿入孔５１から十分な長さの突出部分が突出しているので、組立作業の途中で外力（例えば風）の作用によって光学シート５が捲れることがあっても、光学シート５は係止部４０から外れない。また光学シート５が導光板３に平行な面内で変位しても、挿入孔５１から外れない。また表示パネル１０からの押圧によって、弾性部４４は狭窄部分４ｅよりもバックライトシャーシ２側に位置し、係止部４０の突出部分の突出寸法は導光板３に垂直な方向に短縮され、表示パネル１０及び支持部４間に収まるので、テレビジョン受信装置１の全体の厚さを抑制し、薄型化を図ることができる。
【００６９】
実施の形態４に係る構成の内、実施の形態１〜３と同様な構成については同じ符号を付し、その詳細な説明を省略する。
【００７０】
（実施の形態５）
以下本発明を実施の形態５に係るテレビジョン受信装置１を示す図面に基づいて詳述する。図１３は、表示パネル１０を導光板３の前側に配置する前の状態において係止部４０が屈曲する前の表示装置１００の要部を示す断面図、図１４は、表示パネル１０を導光板３の前側に配置する前の状態において係止部４０が屈曲した後の表示装置１００の要部を示す断面図、図１５は、表示パネル１０を導光板３の前側に配置した後の状態における表示装置１００の要部を示す断面図である。
【００７１】
図１５に示すように、パネルシャーシ６の穴６ａの縁部分において、導光板３と反対側の箇所に切欠６ｂが設けてある。係止部４０は塑性変形可能に構成してある。係止部４０は支持部４から光学シート５側に突出している。係止部４０の中途部分には、導光板３と反対側の位置に切れ込み４５を設けてある。切れ込み４５を支点にして、係止部４０は導光板３に平行な方向であって導光板３から離反する方向に屈曲し、Ｌ字状をなしている。係止部４０の先端部分は切欠６ｂの内側に位置する。
【００７２】
次にテレビジョン受信装置１の組立手順について説明する。まず図１３に示すように、前側が上向きになるように、バックライトシャーシ２を平置きにし、支持部４をバックライトシャーシ２の四隅に配置する。このとき係止部４０は屈曲しておらず、バックライトシャーシ２の反対側に直線的に突出している。次に導光板３をバックライトシャーシ２内に設けて、フラップ５０の挿入孔５１に係止部４０の突出部分を挿入し、導光板３の前面に光学シート５を取り付ける。そして図１４に示すように、係止部４０を導光板３から離反する側にＬ字状に屈曲させる。次に図１５に示すように、係止部４０の屈曲した部分と切欠６ｂとの位置を整合させて、係止部４０が穴６ａに挿入されるようにパネルシャーシ６を配置し、穴６ａの縁部分に緩衝部材７を設けて、表示パネル１０をパネルシャーシ６上に設ける。次に表示パネル１０前面の縁部分に緩衝部材７を設けてフレーム８を配置し、表示パネル１０をフレーム８及びパネルシャーシ６によって挟持する。そして前キャビネット２０及び後キャビネット３０によってこれらの部材を前後から覆う。
【００７３】
図１３〜図１５に示すように、表示パネル１０を配置する前において、貫通孔４ｂから突出した係止部４０の突出寸法は、表示パネル１０を配置した後における支持部４及び表示パネル１０間の寸法よりも長く、組立作業者は突出部分を確実に視認することができる。光学シート５を導光板３の前面に取り付けた後、係止部４０を屈曲させるので、組立作業の途中で外力（例えば風）の作用によって発生して光学シート５が捲れることがあっても、光学シート５は屈曲した部分に係止し、係止部４０から外れない。また光学シート５が導光板３に平行な面内で変位しても、挿入孔５１から外れない。また係止部４０は導光板３に垂直な方向に短縮され、表示パネル１０及び支持部４間に収まるので、テレビジョン受信装置１の全体の厚さを抑制し、薄型化を図ることができる。また係止部４０は導光板３から離反する方向に屈曲するので、表示パネル１０における表示面積に影響を与えることがない。なお係止部４０は導光板３に接近する方向に屈曲してもよい。
【００７４】
実施の形態５に係る構成の内、実施の形態１〜４と同様な構成については同じ符号を付し、その詳細な説明を省略する。
【００７５】
（実施の形態６）
以下本発明を実施の形態６に係るテレビジョン受信装置１を示す図面に基づいて詳述する。図１６は、表示パネル１０を導光板３の前側に配置する前の状態において係止部４０が屈曲する前の表示装置１００の要部を示す断面図、図１７は、表示パネル１０を導光板３の前側に配置する前の状態において係止部４０が屈曲した後の表示装置１００の要部を示す断面図、図１８は、表示パネル１０を導光板３の前側に配置した後の状態における表示装置１００の要部を示す断面図である。
【００７６】
図１８に示すように、パネルシャーシ６の穴６ａの縁部分において、導光板３と反対側の箇所に切欠６ｂが設けてある。また光学シート５よりも外側において、支持部４に導光板３と反対側に屈曲したＬ字状の引掛け部４ｆが設けてある。係止部４０は塑性変形可能に構成してある。係止部４０は支持部４から光学シート５側に突出しており、その中途部分に係止部４０の長手方向に沿って並設した二つの切れ込み４５，４５を支点にして、導光板３に平行な方向であって導光板３から離反する方向に屈曲し、鈎状をなしている。係止部４０の先端部分は切欠６ｂの内側に位置する。係止部４０はその先端に爪部４６を備えており、引掛け部４ｆに掛止している。
【００７７】
次にテレビジョン受信装置１の組立手順について説明する。まず前側が上向きになるように、バックライトシャーシ２を平置きにし、支持部４をバックライトシャーシ２の四隅に配置する。このとき係止部４０は屈曲しておらず、バックライトシャーシ２の反対側に直線的に突出している。次に導光板３をバックライトシャーシ２内に収容し、フラップ５０の挿入孔５１に係止部４０の突出部分を挿入し、導光板３の前面に光学シート５を配置する（図１６参照）。二つの切れ込み４５，４５は、導光板３と反対側において、突出方向に沿って並設されている。また爪部４６は導光板３と反対側に突出している。そして各切れ込み４５，４５を支点として係止部４０を導光板３と反対側に屈曲させて、爪部４６を（図１７参照）引掛け部４ｆに掛止させる。係止部４０は鈎状をなす。次に係止部４０の屈曲した部分と切欠６ｂとの位置を整合させて、係止部４０が穴６ａに挿入されるようにパネルシャーシ６を配置し、穴６ａの縁部分に緩衝部材７を設けて、表示パネル１０を配置する。次に表示パネル１０前面の縁部分に緩衝部材７を設けてフレーム８を配置する（図１８参照）。そして前キャビネット２０及び後キャビネット３０によってこれらの部材を前後から覆う。
【００７８】
図１６〜図１８に示すように、表示パネル１０を配置する前において、支持部４から突出した係止部４０の突出寸法は、表示パネル１０を配置した後における貫通孔４ｂ及び表示パネル１０間の寸法よりも長く、組立作業者は突出部分を確実に視認することができる。光学シート５を導光板３の前面に取り付けた後、係止部４０を屈曲させて爪部４６を引掛け部４ｆに掛止するので、組立作業の途中で外力（例えば風）の作用によって光学シート５が捲れることがあっても、光学シート５のフラップ５０は係止部４０によって囲繞され、係止部４０から外れない。また光学シート５が導光板３に平行な面内で変位しても、挿入孔５１から外れない。また係止部４０の突出寸法は導光板３に垂直な方向に短縮され、表示パネル１０及び支持部４間に収まるので、テレビジョン受信装置１の全体の厚さを抑制し、薄型化を図ることができる。また係止部４０は導光板３から離反する方向に屈曲するので、表示パネル１０における映像表示に影響を与えない。
【００７９】
実施の形態６に係る構成の内、実施の形態１〜５と同様な構成については同じ符号を付し、その詳細な説明を省略する。
【００８０】
（実施の形態７）
以下本発明を実施の形態７に係るテレビジョン受信装置１を示す図面に基づいて詳述する。図１９は、表示パネル１０を導光板３の前側に配置する前の状態における表示装置１００の要部を示す断面図、図２０は、表示パネル１０を導光板３の前側に配置した後の状態における表示装置１００の要部を示す断面図である。
【００８１】
図２０に示すように、パネルシャーシ６は支持部４と対向する部分に凹部６ｃを備える。係止部４０は弾性を有し、凹部６ｃと対向する位置にて支持部４から光学シート５側に突出している。係止部４０の突出端部における光学シート５に平行な方向の寸法は、係止部４０の支持部４側よりも短い。係止部４０の突出端部は凹部６ｃに当接し、導光板３に平行な方向であって、導光板３の縁部分から離反する方向に湾曲している。
【００８２】
次にテレビジョン受信装置１の組立手順について説明する。まず図１９に示すように、前側が上向きになるように、バックライトシャーシ２を平置きにし、支持部４をバックライトシャーシ２の四隅に設ける。次に導光板３をバックライトシャーシ２内に収容し、フラップ５０の挿入孔５１に係止部４０が挿入されるように、導光板３の前面に光学シート５を取り付ける。このとき係止部４０の支持部４側は直線的に突出し、係止部４０の突出端部のみが導光板３から離反する方向に湾曲している。そして図２０に示すように、係止部４０が凹部６ｃに対向するようにパネルシャーシ６を光学シート５上に配置する。このときパネルシャーシ６の凹部６ｃは係止部４０を押圧し、係止部４０は撓んで弾性変形し、導光板３から離反する方向に全体的に湾曲する。パネルシャーシ６における凹部６ｃと反対側に緩衝部材７を設けて、表示パネル１０をパネルシャーシ６上に設ける。次に表示パネル１０前面の縁部分に緩衝部材７を設けてフレーム８を設けて、フレーム８及びパネルシャーシ６によって表示パネル１０を挟持する。そして前キャビネット２０及び後キャビネット３０によってこれらの部材を前後から覆う。
【００８３】
図１９及び図２０に示すように、パネルシャーシ６を設ける前において、支持部４から突出した係止部４０の突出寸法は、表示パネル１０を配置した後における凹部６ｃ及び支持部４間の寸法よりも長く、組立作業者は係止部４０を確実に視認することができる。光学シート５を導光板３の前面に取り付けた場合、フラップ５０の挿入孔５１から十分な長さの係止部４０が突出しているので、組立作業の途中で外力（例えば風）の作用によって光学シート５が捲れることがあっても、光学シート５は係止部４０から外れない。また光学シート５が導光板３に平行な面内で変位しても、挿入孔５１から外れない。また係止部４０は凹部６ｃに当接して湾曲するので、係止部４０における導光板３に垂直な方向の寸法は短縮され、凹部６ｃ及び支持部４間に収まり、テレビジョン受信装置１の全体の厚さを抑制し、薄型化を図ることができる。また係止部４０は導光板３から離反する方向に屈曲するので、表示パネル１０における表示面積に影響を与えることがない。
【００８４】
実施の形態７に係る構成の内、実施の形態１〜６と同様な構成については同じ符号を付し、その詳細な説明を省略する。
【００８５】
（実施の形態８）
以下本発明を実施の形態８に係るテレビジョン受信装置１を示す図面に基づいて詳述する。図２１は、表示パネル１０を導光板３の前側に配置する前の状態における表示装置１００の要部を示す断面図、図２２は、表示パネル１０を導光板３の前側に配置した後の状態における表示装置１００の要部を示す断面図である。
【００８６】
図２２に示すように、パネルシャーシ６は支持部４と対向する部分に凹部６ｃを備える。支持部４における凹部６ｃと対向する位置に、光学シート５側に突出した二つの係止部４０が設けてある。両係止部４０は弾性を有する。係止部４０の突出端部における突出方向に平行な方向の寸法は、係止部４０の支持部４側よりも短い。両係止部４０、４０の突出端部は凹部６ｃに当接し、導光板３に平行な方向であって、導光板３の縁部分から離反する方向及び導光板３の縁部分に接近する方向にそれぞれ湾曲している。
【００８７】
次にテレビジョン受信装置１の組立手順について説明する。まず図２１に示すように、前側が上向きになるように、バックライトシャーシ２を平置きにし、支持部４をバックライトシャーシ２の四隅に配置する。次に導光板３をバックライトシャーシ２内に収容し、フラップ５０の挿入孔５１に係止部４０が挿入されるように、導光板３の前面に光学シート５を取り付ける。このとき係止部４０の支持部４側は直線的に突出し、係止部４０の突出端部は導光板３から離反する方向及び接近する方向にそれぞれ湾曲している。そして図２２に示すように、係止部４０が凹部６ｃに対向するようにパネルシャーシ６を光学シート５上に配置する。パネルシャーシ６における凹部６ｃと反対側に緩衝部材７を設けて、表示パネル１０をパネルシャーシ６上に設ける。パネルシャーシ６の凹部６ｃは係止部４０を押圧し、係止部４０は導光板３から離反する方向及び接近する方向にそれぞれ撓んで弾性変形し、湾曲する。次に表示パネル１０前面の縁部分に緩衝部材７を設けてフレーム８を配置する。そして前キャビネット２０及び後キャビネット３０によってこれらの部材を前後から覆う。
【００８８】
図２１及び２２に示すように、表示パネル１０を配置する前において、支持部４から突出した係止部４０の突出寸法は、表示パネル１０を配置した後における凹部６ｃ及び支持部４間の寸法よりも長く、組立作業者は係止部４０を確実に視認することができる。光学シート５を導光板３の前面に取り付けた場合、フラップ５０の挿入孔５１から十分な長さの係止部４０が突出しているので、組立作業の途中で外力（例えば風）の作用によって光学シート５が捲れることがあっても、光学シート５は係止部４０から外れない。また各係止部４０は導光板３の縁部分からから離反する方向及び導光板３の縁部分に接近する方向にそれぞれ湾曲しているので、光学シート５が導光板３に平行な面内で変位しても、挿入孔５１から外れない。また係止部４０は凹部６ｃに当接して湾曲するので、係止部４０における導光板３に垂直な方向の寸法は短縮され、係止部４０は凹部６ｃ及び支持部４間に収まるので、テレビジョン受信装置１の全体の厚さを抑制し、薄型化を図ることができる。
【００８９】
実施の形態８に係る構成の内、実施の形態１〜７と同様な構成については同じ符号を付し、その詳細な説明を省略する。
【００９０】
（実施の形態９）
以下本発明を実施の形態９に係るテレビジョン受信装置１を示す図面に基づいて詳述する。図２３は、表示パネル１０を導光板３の前側に配置する前の状態における表示装置１００の要部を示す断面図、図２４は、表示パネル１０を導光板３の前側に配置した後の状態における表示装置１００の要部を示す断面図である。
【００９１】
図２４に示すように、パネルシャーシ６は支持部４と対向する部分に凹部６ｃを備える。係止部４０は弾性を有し、凹部６ｃと対向する位置にて支持部４から光学シート５側に突出しており、その先端部は、導光板３の縁部分に接近する側及び導光板３の縁部分から離反する側に、二つに分岐している。係止部４０の分岐した各部分は凹部６ｃに当接し、導光板３に平行な方向であって、導光板３の縁部分から離反する方向及び導光板３の縁部分に離反する方向に弾性変形して湾曲している。
【００９２】
次にテレビジョン受信装置１の組立手順について説明する。まず図２３に示すように、前側が上向きになるように、バックライトシャーシ２を平置きにし、支持部４をバックライトシャーシ２の四隅に設ける。次に導光板３をバックライトシャーシ２内に収容し、フラップ５０の挿入孔５１に係止部４０が挿入されるように、導光板３の前面に光学シート５を取り付ける。このとき係止部４０は直線的に突出している。そして図２４に示すように、係止部４０が凹部６ｃに対向するようにパネルシャーシ６を配置する。このときパネルシャーシ６の凹部６ｃは係止部４０を押圧し、係止部４０の分岐した各部分は導光板３から離反する方向及び接近する方向に撓んで弾性変形し、湾曲する。次にパネルシャーシ６の凹部６ｃと反対側に緩衝部材７を設けて、表示パネル１０を配置する。表示パネル１０前面の縁部分に緩衝部材７を設けてフレーム８を配置する。そして前キャビネット２０及び後キャビネット３０によってこれらの部材を前後から覆う。
【００９３】
図２３及び２４に示すように、パネルシャーシ６を設ける前において、支持部４から突出した係止部４０の突出寸法は、表示パネル１０を配置した後における凹部６ｃ及び支持部４間の寸法よりも長く、組立作業者は係止部４０を確実に視認することができる。光学シート５を導光板３の前面に配置した場合、フラップ５０の挿入孔５１から十分な長さの係止部４０が突出しているので、組立作業の途中で外力（例えば風）の作用によって光学シート５が捲れることがあっても、光学シート５は係止部４０から外れない。また光学シート５が導光板３に平行な面内で変位しても、挿入孔５１から外れない。また係止部４０の分岐した各部分は凹部６ｃに当接して湾曲するので、係止部４０における導光板３に垂直な方向の寸法は短縮され、係止部４０は凹部６ｃ及び支持部４間に収まり、テレビジョン受信装置１の全体の厚さを抑制し、薄型化を図ることができる。なお係止部４０は三つ以上に分岐するように構成してもよい。また係止部４０は導光板３の縁に平行な方向に分岐してもよい。
【００９４】
実施の形態９に係る構成の内、実施の形態１〜８と同様な構成については同じ符号を付し、その詳細な説明を省略する。
【００９５】
（実施の形態１０）
以下本発明を実施の形態１０に係るテレビジョン受信装置１を示す図面に基づいて詳述する。図２５は、表示パネル１０を導光板３の前側に配置する前の状態における表示装置１００の要部を示す断面図、図２６は、表示パネル１０を導光板３の前側に配置した後の状態における表示装置１００の要部を示す断面図である。
【００９６】
図２６に示すように、パネルシャーシ６は支持部４と対向する部分に凹部６ｃを備える。係止部４０は、収容室４ａ内に配置してあり、バックライトシャーシ２における貫通孔４ｂに対向する箇所から表示パネル１０側に突出した基部４７と、該基部４７の突出端部を覆うキャップ状の先端部４８とを備える。先端部４８及び基部４７はばね４９（弾性部材）を介して連結している。先端部４８は貫通孔４ｂに挿通し、凹部６ｃに当接している。先端部４８の凹部６ｃへの当接によって、ばね４９は圧縮されている。なおばね４９に代えてゴム等その他の弾性部材を使用してもよい。
【００９７】
次にテレビジョン受信装置１の組立手順について説明する。まず図２５に示すように、前側が上向きになるように、バックライトシャーシ２を平置きにし、支持部４をバックライトシャーシ２の四隅に設ける。次に導光板３をバックライトシャーシ２内に収容し、フラップ５０の挿入孔５１に先端部４８が挿入されるように、導光板３の前面に光学シート５を取り付ける。そして図２６に示すように、係止部４０が凹部６ｃに対向するようにパネルシャーシ６を配置する。このときパネルシャーシ６の凹部６ｃは先端部４８を押圧し、ばね４９は弾性変形して短縮され、先端部４８はバックライトシャーシ２側に移動する。その結果、先端部４８における支持部４から突出した部分の導光板３に垂直な方向の寸法は短縮される。次にパネルシャーシ６における凹部６ｃと反対側に緩衝部材７を設けて、表示パネル１０をパネルシャーシ６上に設ける。次に表示パネル１０前面の縁部分に緩衝部材７を設けてフレーム８を設けて、フレーム８及びパネルシャーシ６によって表示パネル１０を挟持する。そして前キャビネット２０及び後キャビネット３０によってこれらの部材を前後から覆う。
【００９８】
図２５及び図２６に示すように、パネルシャーシ６を設ける前において、貫通孔４ｂから突出した先端部４８の突出寸法は、パネルシャーシ６を配置した後における凹部６ｃ及び支持部４間の寸法よりも長く、組立作業者は先端部４８の突出部分を確実に視認することができる。光学シート５を導光板３の前面に取り付けた場合、フラップ５０の挿入孔５１から十分な長さの突出部分が突出しているので、組立作業の途中で外力（例えば風）の作用によって光学シート５が捲れることがあっても、光学シート５は係止部４０から外れない。また光学シート５が導光板３に平行な面内で変位しても、挿入孔５１から外れない。またパネルシャーシ６の押圧によってばね４９は導光板３に垂直な方向に短縮され、先端部４８は凹部６ｃ及び支持部４間に収まるので、テレビジョン受信装置１の全体の厚さを抑制し、薄型化を図ることができる。
【００９９】
実施の形態１０に係る構成の内、実施の形態１〜９と同様な構成については同じ符号を付し、その詳細な説明を省略する。
【０１００】
（実施の形態１１）
以下本発明を実施の形態１１に係るテレビジョン受信装置１を示す図面に基づいて詳述する。図２７は、光学シート５を示す正面図、図２８は、表示パネル１０を導光板３の前側に配置した後の状態における表示装置１００の要部を示す断面図である。
【０１０１】
図２７に示すように、光学シート５は、左右縁部分の中央部分からそれぞれ外向きに延出した二つのフラップ５０、５０を備えている。各フラップ５０は各係止部４０に対応するように、光学シート５の四隅に形成してある。各フラップ５０には、係止部４０が挿入される切欠５２が形成してある。光学シート５は、係止部４０における貫通孔４ｂから突出した突出部分を切欠５２に挿入し、導光板３の前面に取り付けてある。
【０１０２】
図２８に示すように、テレビジョン受信装置１はパネルシャーシ６を備えておらず、切欠５２に挿入された棒状部分４１ａは表示パネル１０に押圧され、延出部４１ｂが撓んで弾性変形して外向きに広がり、棒状部分４１ａは導光板３に垂直な方向に移動している。棒状部分４１ａにおける切欠５２から突出した部分の寸法は、表示パネル１０を光学シート５上に配置する前よりも短くなっている。
【０１０３】
なおテレビジョン受信装置１の組立は、パネルシャーシ６の配置並びにパネルシャーシ６及び表示パネル１０間への緩衝部材７の配置を除けば、実施の形態１と同様な手順によって行われ、導光板３、光学シート５、緩衝部材７、表示パネル１０、フレーム８、前キャビネット２０及び後キャビネット３０が順に設けられる。
【０１０４】
表示パネル１０を光学シート５上に設ける前において、貫通孔４ｂから突出した棒状部分４１ａの突出部分の突出寸法は、表示パネル１０を設けた後における支持部４及び表示パネル１０間の寸法よりも長く、組立作業者は棒状部分４１ａを確実に視認することができる。光学シート５を導光板３の前面に配置した場合、フラップ５０の挿入孔５１から十分な長さの棒状部分４１ａが突出しているので、組立作業の途中で外力（例えば風）の作用によって光学シート５が捲れることがあっても、光学シート５は係止部４０から外れない。また光学シート５が導光板３に平行な面内で変位しても、挿入孔５１から外れない。表示パネル１０を光学シート５上に設けた場合には、表示パネル１０からの押圧によって、棒状部分４１ａは導光板３に垂直な方向に移動する。棒状部分４１ａの突出寸法は短縮され、棒状部分４１ａは表示パネル１０及び支持部４間に収まるので、テレビジョン受信装置１の全体の厚さを抑制し、薄型化を図ることができる。なお光学シート５の縁部分の中央部分にフラップ５０、５０を形成することによって、光学シート５の伸縮時における皺の発生を抑制することができる。
【０１０５】
実施の形態１１に係る構成の内、実施の形態１〜１０と同様な構成については同じ符号を付し、その詳細な説明を省略する。
【０１０６】
（実施の形態１２）
以下本発明を実施の形態１２に係るテレビジョン受信装置１を示す図面に基づいて詳述する。図２９は、光学シート５を示す正面図、図３０は、光学シート５を導光板３の前側に配置する前の状態における表示装置１００の要部を示す断面図、図３１は、光学シート５を導光板３の前側に配置する途中の状態における表示装置１００の要部を示す断面図、図３２は、光学シート５を導光板３の前側に配置した後の状態における表示装置１００の要部を示す断面図、図３３は、表示パネル１０を導光板３の前側に配置した後の状態における表示装置１００の要部を示す断面図である。
【０１０７】
図２９に示すように、光学シート５の各フラップ５０には、左右方向に沿って二つの挿入孔５１、５１が並設してある。図３０に示すように、支持部４の内部に収容部４ｃを設けてあり、該収容部４ｃは前記係止部４０を収容する二つの収容室４ｄ、４ｄを備える。支持部４の光学シート５側には、収容室４ｄ、４ｄに連なる二つの貫通孔４ｂ、４ｂが形成してある。係止部４０は、収容室４ｄ内に収容されており、導光板３に平行な基部４０ａを備える。
【０１０８】
該基部４０ａは、貫通孔４ｂ、４ｂと反対側において二つのばね４０ｄ、４０ｄを介して収容室４ｄに連結している。該基部４０ａから貫通孔４ｂ、４ｂを通って二つの突出部４０ｂ、４０ｂが突出している。図３２に示すように、突出部４０ｂ、４０ｂはフラップ５０の各挿入孔５１、５１に挿入され、また図３３に示すように、穴６ａに挿入される。各突出部４０ｂ、４０ｂの突出端には、光学シート５に平行な方向に沿って互いに向けて突出しており、フラップ５０に掛止する掛止爪４０ｃが設けてある。なお両掛止爪４０ｃ、４０ｃは弾性を有し、両掛止爪４０ｃ、４０ｃの突出端間の寸法は、両挿入孔５１、５１間の寸法よりも小さい。掛止爪４０ｃは表示パネル１０に押圧され、各ばね４０ｄ、４０ｄは弾性変形し、短縮されている。
【０１０９】
次にテレビジョン受信装置１の組立手順について説明する。まず図３０に示すように、前側が上向きになるように、バックライトシャーシ２を平置きにし、突出部４０ｂを貫通孔４ｂから突出させた状態で支持部４をバックライトシャーシ２の四隅に配置する。次に導光板３をバックライトシャーシ２内に収容する。このとき突出部４０ｂにおける貫通孔４ｂから突出した部分の突出寸法は、表示パネル１０を設けた後における表示パネル１０及び支持部４間の寸法よりも長い。そして図３１に示すように、フラップ５０の各挿入孔５１、５１と各掛止爪４０ｃ、４０ｃとの位置を整合させて、光学シート５を配置する。図３２に示すように、組立作業者は光学シート５のフラップ５０をバックライトシャーシ２側に押し込み、両挿入孔５１、５１間の光学シート５を掛止爪４０ｃ、４０ｃ間に挿通させ、導光板３の前面に光学シート５を取り付ける。そして図３３に示すように、突出部４０ｂ、４０ｂが穴６ａに挿入されるようにパネルシャーシ６を配置し、穴６ａの縁部分に緩衝部材７を設けて、表示パネル１０をパネルシャーシ６上に設ける。このとき表示パネル１０は掛止爪４０ｃを押圧し、ばね４０ｄが弾性変形によって短縮し、突出部４０ｂの突出寸法は導光板３に垂直な方向に短くなる。次に表示パネル１０前面の縁部分に緩衝部材７を設けてフレーム８を配置し、フレーム８及びパネルシャーシ６によって表示パネル１０を挟持する。そして前キャビネット２０及び後キャビネット３０によってこれらの部材を前後から覆う。
【０１１０】
図３０〜図３３に示すように、表示パネル１０を配置する前において、ばね４０ｄの弾性力によって係止部４０は光学シート５側に付勢されており、貫通孔４ｂから突出した突出部４０ｂ、４０ｂの突出寸法は、表示パネル１０を設けた後における支持部４及び表示パネル１０間の寸法よりも長く、組立作業者は突出部４０ｂ、４０ｂを確実に視認することができる。光学シート５を導光板３の前面に取り付けた場合、フラップ５０の挿入孔５１から十分な長さの突出部４０ｂが突出しており、また両掛止爪４０ｃ、４０ｃ間の寸法は両挿入孔５１、５１間に位置する光学シート５の寸法よりも小さいので、組立作業の途中で外力（例えば風）の作用によって光学シート５が捲れることがあっても、光学シート５は両掛止爪４０ｃ、４０ｃに掛止し、係止部４０から外れない。また光学シート５が導光板３に平行な面内で変位しても、挿入孔５１から外れない。また表示パネル１０からの押圧によって、突出部４０ｂの突出寸法は導光板３に垂直な方向に短縮され、突出部４０ｂは表示パネル１０及び支持部４間に収まるので、テレビジョン受信装置１の全体の厚さを抑制し、薄型化を図ることができる。
【０１１１】
実施の形態１２に係る構成の内、実施の形態１〜１１と同様な構成については同じ符号を付し、その詳細な説明を省略する。
【０１１２】
以上説明した実施の形態は本発明の例示であり、本発明は特許請求の範囲に記載された事項及び特許請求の範囲の記載に基づいて定められる範囲内において種々変更した形態で実施することができる。
【符号の説明】
【０１１３】
１  表示パネル
２  バックライトシャーシ（シャーシ）
３  導光板
４  支持部
４ａ  収容室（収容部）
４ｂ  貫通孔
４ｃ  収容部
４ｄ  収容室
４ｅ  狭窄部分
４ｆ  引掛け部
４ｇ  被掛止部
５  光学シート
４０  係止部
４０ｃ  掛止爪
４１ｂ  延出部（弾性部）
４２  掛止部
４３  ばね（弾性部材）
４４  弾性部
４９  ばね（弾性部材）
５０  フラップ
５１  孔
５２  切欠
２００  チューナ（受信部）
【図１】
2013130722.tif 000003
【図２】
2013130722.tif 000004
【図３】
2013130722.tif 000005
【図４】
2013130722.tif 000006
【図５】
2013130722.tif 000007
【図６】
2013130722.tif 000008
【図７】
2013130722.tif 000009
【図８】
2013130722.tif 000010
【図９】
2013130722.tif 000011
【図１０】
2013130722.tif 000012
【図１１】
2013130722.tif 000013
【図１２】
2013130722.tif 000014
【図１３】
2013130722.tif 000015
【図１４】
2013130722.tif 000016
【図１５】
2013130722.tif 000017
【図１６】
2013130722.tif 000018
【図１７】
2013130722.tif 000019
【図１８】
2013130722.tif 000020
【図１９】
2013130722.tif 000021
【図２０】
2013130722.tif 000022
【図２１】
2013130722.tif 000023
【図２２】
2013130722.tif 000024
【図２３】
2013130722.tif 000025
【図２４】
2013130722.tif 000026
【図２５】
2013130722.tif 000027
【図２６】
2013130722.tif 000028
【図２７】
2013130722.tif 000029
【図２８】
2013130722.tif 000030
【図２９】
2013130722.tif 000031
【図３０】
2013130722.tif 000032
【図３１】
2013130722.tif 000033
【図３２】
2013130722.tif 000034
【図３３】
2013130722.tif 000035